(57)【要約】【課題】塗装工場などの洗浄槽から排出される揮発性有機化合物ガスを、捕集・処理し排気する排気装置において、揮発性有機化合物ガスのみを吸引させることができることを目的とする。【解決手段】有機溶剤１が使用される有機溶剤槽２から発生する揮発性有機化合物ガス３を、前記有機溶剤槽２の上方にダクト４を備えた排気装置５で吸引し、前記排気装置５から排気された前記揮発性有機化合物ガス３をダクト６に通じて前記揮発性有機化合物ガス３処理する処理装置７で処理する装置で、前記揮発性有機化合物ガス３が旋回しながら前記ダクト４へ吸引される旋回気流発生手段８を設けるような構成において、前記揮発性有機化合物ガス３のみを吸引させることができる。【選択図】図１
2006239562.tif 000002
【特許請求の範囲】
【請求項１】
有機溶剤が使用される有機溶剤槽から発生する揮発性有機化合物ガスを、前記有機溶剤槽の上方にダクトを備えた排気装置で吸引し、前記排気装置から排気された前記揮発性有機化合物ガスをダクトに通じて前記揮発性有機化合物ガスを処理する処理装置で処理する装置において、前記揮発性有機化合物ガスが旋回しながら前記ダクトへ吸引される旋回気流発生手段を設けることを特徴とする排気装置。
【請求項２】
揮発性有機化合物ガスが旋回しながらダクトへ吸引される方向が横方向になるように設けることを特徴とする請求項１記載の排気装置。
【請求項３】
旋回気流発生手段を備えたフード設けダクトと接続することを特徴とする請求項１あるいは２記載の排気装置。
【請求項４】
揮発性有機化合物ガスが旋回しながらフードあるいはダクトへ吸引されるように、有機溶剤槽に旋回気流発生手段を設けることを特徴とする請求項１，２あるいは３記載の排気装置。
【請求項５】
旋回気流発生手段に吸気される空気を、排気装置の入口あるいは出口から吸気することを特徴とする請求項１，２，３あるいは４記載の排気装置。
【請求項６】
有機溶剤が使用される有機溶剤槽から発生する揮発性有機化合物ガスを、前記有機溶剤槽の上方に捕集手段を備えた排気装置で吸引し、前記排気装置から排気された前記揮発性有機化合物ガスをダクトに通じて前記揮発性有機化合物ガスを処理する処理装置で処理する装置において、前記揮発性有機化合物ガスがまわりに拡散しないようにエアーカーテンを設けて遮断することを特徴とする排気装置。
【請求項７】
捕集手段にエアーカーテン発生装置を設けることを特徴とする請求項６記載の排気装置。
【請求項８】
有機溶剤槽にエアーカーテン発生装置を設けることを特徴とする請求項６記載の排気装置。
【請求項９】
エアーカーテン発生装置が、捕集手段および有機溶剤槽の両方に設けることを特徴とする請求項６，７あるいは８記載の排気装置。
【請求項１０】
揮発性有機化合物ガスが旋回しながら前記捕集手段へ吸引されることを特徴とする請求項１，６，７，８あるいは９記載の排気装置。
【請求項１１】
有機溶剤槽の上面と排気装置の入口に揮発性有機化合物ガスの濃度を測定するセンサを設け、前記センサから濃度の結果を判定手段に送り、前記判定手段による判定結果に基づき制御手段を通して前記揮発性有機化合物ガスが旋回しながら吸引される方向の角度を調整することを特徴とする請求項２，３，４あるいは５記載の排気装置。
【請求項１２】
有機溶剤槽の上面と排気装置の入口に揮発性有機化合物ガスの濃度を測定するセンサを設け、前記センサから濃度の結果を判定手段に送り、前記判定手段による判定結果に基づき制御手段を通して旋回気流発生手段の旋回気流の強さを調整することを特徴とする請求項１，２，３，４，５あるいは１０記載の排気装置。
【請求項１３】
捕集手段および有機溶剤槽に風量を測定するセンサを設け、前記センサから風量の結果を判定手段に送り、前記判定手段による判定結果に基づき制御手段を通してエアーカーテン発生装置の風量を制御することを特徴とする請求項７，８，９あるいは１０記載の排気装置。
【請求項１４】
有機溶剤槽の上面と排気装置の入口に揮発性有機化合物ガスの濃度を測定するセンサを設け、前記センサから濃度の結果を判定手段に送り、前記判定手段による判定結果に基づき制御手段を通して前記揮発性有機化合物ガスが旋回しながら吸引される方向の角度を調整し旋回気流発生手段の旋回気流の強さをも調整することを特徴とする請求項１，２，３，４，５，１０，１１あるいは１２記載の排気装置。
【請求項１５】
有機溶剤槽の上面と排気装置の入口に揮発性有機化合物ガスの濃度を測定するセンサおよび捕集手段および有機溶剤槽の周縁に風量を測定するセンサを設け、前記センサから濃度および風量の結果を判定手段に送り、前記判定手段による判定結果に基づき制御手段を通して旋回気流発生手段の旋回気流の強さを調整しエアーカーテン発生装置の風量をも制御することを特徴とする請求項１，２，３，４，５，７，８，９あるいは１０記載の排気装置。
【請求項１６】
有機溶剤槽の上面と排気装置の入口に揮発性有機化合物ガスの濃度を測定するセンサおよび捕集手段および有機溶剤槽に風量を測定するセンサを設け、前記センサから濃度および風量の結果を判定手段に送り、前記判定手段による判定結果に基づき制御手段を通して前記揮発性有機化合物ガスが旋回しながら吸引される方向の角度を調整し旋回気流発生手段の旋回気流の強さをも調整しエアーカーテン発生装置の風量をも制御することを特徴とする請求項１，２，３，４，５，７，８，９，１０，１１あるいは１２記載の排気装置。
【発明の詳細な説明】
【技術分野】
【０００１】
本発明は、塗装工場などの洗浄槽から排出される揮発性有機化合物ガスを、捕集・処理し排気する排気装置に関するものである。
【背景技術】
【０００２】
従来、この種の揮発性有機化合物ガスを、捕集・処理し排気する排気装置は、特許文献１および非特許文献１および２に記載されたものが知られている。
【０００３】
以下、その揮発性有機化合物ガスを、捕集・処理し排気する排気装置について図２３を参照しながら説明する。
【０００４】
図に示すように、鋳造工場における鋳込み後の鋳物と生砂の分離時に発生する湿潤排ガスを浄化する場合、粉塵，水分，有害な揮発性有機化合物や悪臭成分などが混在している排ガス発生源１０１から排ガス１０２が発生し、送風機１０３で前記排ガス発生源１０１を覆っている吸入フード１０４で前記排ガス１０２集め、前処理装置１０５で前記排ガス１０２中に含まれている粉塵等の不純物を取り除き、処理装置１０６で燃焼等させ前記排ガス１０２を無害化処理するというものであった。
【０００５】
上記構成は有機溶剤を取り扱う作業環境における局所排気に関することであり、鋳造工場における鋳込み後の鋳物と生砂の分離時に発生する湿潤排ガスを浄化する場合だけではなく、工業用洗浄施設および洗浄後の乾燥施設においても適応できることは明らかであり、中小企業では現実行われているものである。
【特許文献１】特許第３３４８８２１号公報
【非特許文献１】厚生労働省安全衛生部化学物質調査課編集「新版有機溶剤作業主任者テキスト」、平成１６年２月２５日第８刷発行、１３５−１６５頁
【非特許文献２】環境省配布資料「揮発性有機化合物（ＶＯＣ）排出抑制対策検討会洗浄小委員会（第１回）」、平成１６年７月２８日公開、別紙
【発明の開示】
【発明が解決しようとする課題】
【０００６】
このような従来の排気装置では、有機溶剤が使用されている有機溶剤槽から発生する揮発性有機化合物ガスを上方の排気装置で吸引する際、前記有機溶剤槽および前記排気装置の周囲の空気も吸引され前記揮発性有機化合物ガスが希釈されて吸引されるという課題があり、前記揮発性有機化合物ガスのみを前記排気装置で吸引することができることが要求されている。
【０００７】
また、このような従来の排気装置では、吸引される揮発性有機化合物ガスの状態に係らず装置が運転されているという課題があり、前記揮発性有機化合物ガスの状態に合わせて装置を自動的に運転させることができることが要求されている。
【０００８】
本発明は、このような従来の課題を解決するものであり、揮発性有機化合物ガスのみを排気装置で吸引することができる排気装置を提供することを目的としている。
【０００９】
また本発明は、揮発性有機化合物ガスの状態に合わせて装置を自動的に運転させることができる排気装置を提供することを目的としている。
【課題を解決するための手段】
【００１０】
本発明の排気装置は上記目的を達成するために、有機溶剤が使用される有機溶剤槽から発生する揮発性有機化合物ガスを、前記有機溶剤槽の上方にダクトを備えた排気装置で吸引し、前記排気装置から排気された前記揮発性有機化合物ガスをダクトに通じて前記揮発性有機化合物ガスを処理する処理装置で処理する装置において、前記揮発性有機化合物ガスが旋回しながら前記ダクトへ吸引される旋回気流発生手段を設けることとしたものである。
【００１１】
この手段により、揮発性有機化合物ガスのみを排気装置で吸引することができる排気装置が得られる。
【００１２】
また他の手段は、揮発性有機化合物ガスが旋回しながらダクトへ吸引される方向が横方向になるように設けることとしたものである。
【００１３】
この手段により、揮発性有機化合物ガスのみを排気装置で吸引することができる排気装置が得られる。
【００１４】
また他の手段は、旋回気流発生手段を備えたフードを設けダクトと接続することとしたものである。
【００１５】
この手段により、揮発性有機化合物ガスのみを排気装置で吸引することができる排気装置が得られる。
【００１６】
また他の手段は、揮発性有機化合物ガスが旋回しながらフードあるいはダクトへ吸引されるように、有機溶剤槽に旋回気流発生手段を設けることとしたのものである。
【００１７】
この手段により、揮発性有機化合物ガスのみを排気装置で吸引することができる排気装置が得られる。
【００１８】
また他の手段は、旋回気流発生手段に吸気される空気を、排気装置の入口あるいは出口から吸気することとしたものである。
【００１９】
この手段により、揮発性有機化合物ガスのみを排気装置で吸引することができる排気装置が得られる。
【００２０】
また他の手段は、有機溶剤が使用される有機溶剤槽から発生する揮発性有機化合物ガスを、前記有機溶剤槽の上方に捕集手段を備えた排気装置で吸引し、前記排気装置から排気された前記揮発性有機化合物ガスをダクトに通じて前記揮発性有機化合物ガスを処理する処理装置で処理する装置において、前記揮発性有機化合物ガスがまわりに拡散しないようにエアーカーテンを設けて遮断することとしたものである。
【００２１】
この手段により、揮発性有機化合物ガスのみを排気装置で吸引することができる排気装置が得られる。
【００２２】
また他の手段は、捕集手段にエアーカーテン発生装置を設けることとしたものである。
【００２３】
この手段により、揮発性有機化合物ガスのみを排気装置で吸引することができる排気装置が得られる。
【００２４】
また他の手段は、有機溶剤槽にエアーカーテン発生装置を設けることとしたものである。
【００２５】
この手段により、揮発性有機化合物ガスのみを排気装置で吸引することができる排気装置が得られる。
【００２６】
また他の手段は、エアーカーテン発生装置が、捕集手段および有機溶剤槽の両方に設けることとしたものである。
【００２７】
この手段により、揮発性有機化合物ガスのみを排気装置で吸引することができる排気装置が得られる。
【００２８】
また他の手段は、揮発性有機化合物ガスが旋回しながら前記捕集手段へ吸引されることとしたものである。
【００２９】
この手段により、揮発性有機化合物ガスのみを排気装置で吸引することができる排気装置が得られる。
【００３０】
また他の手段は、有機溶剤槽の上面と排気装置の入口に揮発性有機化合物ガスの濃度を測定するセンサを設け、前記センサから濃度の結果を判定手段に送り、前記判定手段による判定結果に基づき制御手段を通して前記揮発性有機化合物ガスが旋回しながら吸引される方向の角度を調整することとしたものである。
【００３１】
この手段により、揮発性有機化合物ガスの状態に合わせて装置を自動的に運転させることができる排気装置が得られる。
【００３２】
また他の手段は、有機溶剤槽の上面と排気装置の入口に揮発性有機化合物ガスの濃度を測定するセンサを設け、前記センサから濃度の結果を判定手段に送り、前記判定手段による判定結果に基づき制御手段を通して旋回気流発生手段の旋回気流の強さを調整することとしたものである。
【００３３】
この手段により、揮発性有機化合物ガスの状態に合わせて装置を自動的に運転させることができる排気装置が得られる。
【００３４】
また他の手段は、捕集手段および有機溶剤槽に風量を測定するセンサを設け、前記センサから風量の結果を判定手段に送り、前記判定手段による判定結果に基づき制御手段を通してエアーカーテン発生装置の風量を制御することとしたものである。
【００３５】
この手段により、揮発性有機化合物ガスの状態に合わせて装置を自動的に運転させることができる排気装置が得られる。
【００３６】
また他の手段は、有機溶剤槽の上面と排気装置の入口に揮発性有機化合物ガスの濃度を測定するセンサを設け、前記センサから濃度の結果を判定手段に送り、前記判定手段による判定結果に基づき制御手段を通して前記揮発性有機化合物ガスが旋回しながら吸引される方向の角度を調整し旋回気流発生手段の旋回気流の強さをも調整することとしたものである。
【００３７】
この手段により、揮発性有機化合物ガスの状態に合わせて装置を自動的に運転させることができる排気装置が得られる。
【００３８】
また他の手段は、有機溶剤槽の上面と排気装置の入口に揮発性有機化合物ガスの濃度を測定するセンサおよび捕集手段および有機溶剤槽の周縁に風量を測定するセンサを設け、前記センサから濃度および風量の結果を判定手段に送り、前記判定手段による判定結果に基づき制御手段を通して旋回気流発生手段の旋回気流の強さを調整しエアーカーテン発生装置の風量をも制御することとしたものである。
【００３９】
この手段により、揮発性有機化合物ガスの状態に合わせて装置を自動的に運転させることができる排気装置が得られる。
【００４０】
また他の手段は、有機溶剤槽の上面と排気装置の入口に揮発性有機化合物ガスの濃度を測定するセンサおよび捕集手段および有機溶剤槽に風量を測定するセンサを設け、前記センサから濃度および風量の結果を判定手段に送り、前記判定手段による判定結果に基づき制御手段を通して前記揮発性有機化合物ガスが旋回しながら吸引される方向の角度を調整し旋回気流発生手段の旋回気流の強さをも調整しエアーカーテン発生装置の風量をも制御することとしたものである。
【００４１】
この手段により、揮発性有機化合物ガスの状態に合わせて装置を自動的に運転させることができる排気装置が得られる。
【発明の効果】
【００４２】
本発明によれば揮発性有機化合物ガスのみを排気装置で吸引することができる効果のある排気装置を提供できる。
【００４３】
また、本発明によれば揮発性有機化合物ガスの状態に合わせて装置を自動的に運転させることができる効果のある排気装置を提供できる。
【発明を実施するための最良の形態】
【００４４】
本発明の請求項１記載の発明は、有機溶剤が使用される有機溶剤槽から発生する揮発性有機化合物ガスを、前記有機溶剤槽の上方にダクトを備えた排気装置で吸引し、前記排気装置から排気された前記揮発性有機化合物ガスをダクトに通じて前記揮発性有機化合物ガスを処理する処理装置で処理する装置において、前記揮発性有機化合物ガスが旋回しながら前記ダクトへ吸引される旋回気流発生手段を設けることとしたものであり、揮発性有機化合物ガスのみを排気装置で吸引することができるという作用を有する。
【００４５】
また本発明の請求項２記載の発明は、揮発性有機化合物ガスが旋回しながらダクトへ吸引される方向が横方向になるように設けることとしたものであり、揮発性有機化合物ガスのみを排気装置で吸引することができるという作用を有する。
【００４６】
また本発明の請求項３記載の発明は、旋回気流発生手段を備えたフード設けダクトと接続することとしたものであり、揮発性有機化合物ガスのみを排気装置で吸引することができるという作用を有する。
【００４７】
また本発明の請求項４記載の発明は、揮発性有機化合物ガスが旋回しながらフードあるいはダクトへ吸引されるように、有機溶剤槽に旋回気流発生手段を設けることとしたのものであり、揮発性有機化合物ガスのみを排気装置で吸引することができるという作用を有する。
【００４８】
また本発明の請求項５記載の発明は、旋回気流発生手段に吸気される空気を、排気装置の入口あるいは出口から吸気することとしたものであり、揮発性有機化合物ガスのみを排気装置で吸引することができるという作用を有する。
【００４９】
また本発明の請求項６記載の発明は、有機溶剤が使用される有機溶剤槽から発生する揮発性有機化合物ガスを、前記有機溶剤槽の上方に捕集手段を備えた排気装置で吸引し、前記排気装置から排気された前記揮発性有機化合物ガスをダクトに通じて前記揮発性有機化合物ガスを処理する処理装置で処理する装置において、前記揮発性有機化合物ガスがまわりに拡散しないようにエアーカーテンを設けて遮断することとしたものであり、揮発性有機化合物ガスのみを排気装置で吸引することができるという作用を有する。
【００５０】
また本発明の請求項７記載の発明は、捕集手段にエアーカーテン発生装置を設けることとしたものであり、揮発性有機化合物ガスのみを排気装置で吸引することができるという作用を有する。
【００５１】
また本発明の請求項８記載の発明は、有機溶剤槽にエアーカーテン発生装置を設けることとしたものであり、揮発性有機化合物ガスのみを排気装置で吸引することができるという作用を有する。
【００５２】
また本発明の請求項９記載の発明は、エアーカーテン発生装置が、捕集手段および有機溶剤槽の両方に設けることとしたものであり、揮発性有機化合物ガスのみを排気装置で吸引することができるという作用を有する。
【００５３】
また本発明の請求項１０記載の発明は、揮発性有機化合物ガスが旋回しながら前記捕集手段へ吸引されることとしたものであり、揮発性有機化合物ガスのみを排気装置で吸引することができるという作用を有する。
【００５４】
また本発明の請求項１１記載の発明は、有機溶剤槽の上面と排気装置の入口に揮発性有機化合物ガスの濃度を測定するセンサを設け、前記センサから濃度の結果を判定手段に送り、前記判定手段による判定結果に基づき制御手段を通して前記揮発性有機化合物ガスが旋回しながら吸引される方向の角度を調整することとしたものであり、揮発性有機化合物ガスの状態に合わせて装置を自動的に運転させることができるという作用を有する。
【００５５】
また本発明の請求項１２記載の発明は、有機溶剤槽の上面と排気装置の入口に揮発性有機化合物ガスの濃度を測定するセンサを設け、前記センサから濃度の結果を判定手段に送り、前記判定手段による判定結果に基づき制御手段を通して旋回気流発生手段の旋回気流の強さを調整することとしたものであり、揮発性有機化合物ガスの状態に合わせて装置を自動的に運転させることができるという作用を有する。
【００５６】
また本発明の請求項１３記載の発明は、捕集手段および有機溶剤槽に風量を測定するセンサを設け、前記センサから風量の結果を判定手段に送り、前記判定手段による判定結果に基づき制御手段を通してエアーカーテン発生装置の風量を制御することとしたものであり、揮発性有機化合物ガスの状態に合わせて装置を自動的に運転させることができるという作用を有する。
【００５７】
また本発明の請求項１４記載の発明は、有機溶剤槽の上面と排気装置の入口に揮発性有機化合物ガスの濃度を測定するセンサを設け、前記センサから濃度の結果を判定手段に送り、前記判定手段による判定結果に基づき制御手段を通して前記揮発性有機化合物ガスが旋回しながら吸引される方向の角度を調整し旋回気流発生手段の旋回気流の強さをも調整することとしたものであり、揮発性有機化合物ガスの状態に合わせて装置を自動的に運転させることができるという作用を有する。
【００５８】
また本発明の請求項１５記載の発明は、有機溶剤槽の上面と排気装置の入口に揮発性有機化合物ガスの濃度を測定するセンサおよび捕集手段および有機溶剤槽の周縁に風量を測定するセンサを設け、前記センサから濃度および風量の結果を判定手段に送り、前記判定手段による判定結果に基づき制御手段を通して旋回気流発生手段の旋回気流の強さを調整しエアーカーテン発生装置の風量をも制御することとしたものであり、揮発性有機化合物ガスの状態に合わせて装置を自動的に運転させることができるという作用を有する。
【００５９】
また本発明の請求項１６記載の発明は、有機溶剤槽の上面と排気装置の入口に揮発性有機化合物ガスの濃度を測定するセンサおよび捕集手段および有機溶剤槽に風量を測定するセンサを設け、前記センサから濃度および風量の結果を判定手段に送り、前記判定手段による判定結果に基づき制御手段を通して前記揮発性有機化合物ガスが旋回しながら吸引される方向の角度を調整し旋回気流発生手段の旋回気流の強さをも調整しエアーカーテン発生装置の風量をも制御することとしたものであり、揮発性有機化合物ガスの状態に合わせて装置を自動的に運転させることができるという作用を有する。
【００６０】
以下、本発明の実施の形態について図面を参照しながら説明する。
【００６１】
（実施の形態１）
図１に示すように、有機溶剤１が使用される有機溶剤槽２から発生する揮発性有機化合物ガス３を、前記有機溶剤槽２の上方にダクト４を備えた排気装置５で吸引し、前記排気装置５から排気された前記揮発性有機化合物ガス３をダクト６に通じて前記揮発性有機化合物ガス３を処理する処理装置７で処理する装置において、前記揮発性有機化合物ガス３が旋回しながら前記ダクト４へ吸引される旋回気流発生手段８を設けるように構成されている。
【００６２】
上記構成の洗浄工程の一例において、コンベア９にいくつか吊るされた洗浄の対象物である洗浄物１０が前記コンベア９により運ばれ前記有機溶剤１であるジクロロメタンが貯蔵されている前記有機溶剤槽２に浸漬して洗浄するという工程において、前記旋回気流発生手段８により前記有機溶剤槽２の上面に円の接線方向に風を噴出し前記有機溶剤槽２の上方の前記有機溶剤１表面および浸漬後の前記洗浄物１０から揮発する前記揮発性有機化合物ガス３は、まず全体的に旋回状になるので前記有機溶剤槽２および前記洗浄物１０から揮発する前記揮発性有機化合物ガス３を全て網羅し、次に前記排気装置５からの吸引作用により上昇気流により螺旋状に前記ダクト４の中心に向かって吸引され、前記排気装置５に吸引・通過し前記ダクト６を通過して前記処理装置７に入り前記揮発性有機化合物ガス３が無害化されるので、前記揮発性有機化合物ガス３のみを前記排気装置５で吸引、無害化する前記処理装置７へ送ることができる。
【００６３】
なお、前記有機溶剤１は一例として塩素系有機溶剤のジクロロメタンを記載したが、前記揮発性有機化合物ガス３を発生する有機溶剤ならなんでもよい。
【００６４】
また、前記有機溶剤槽２の材質や形状は特に記載していないが、前記有機溶剤１に耐性があり、目的の洗浄工程に不具合を生じない形状ならなんでもよい。
【００６５】
また、前記ダクト４および６の材質や形状は特に記載していないが、前記揮発性有機化合物ガス３に耐性があり、径が丸でも角でもどんな形状でもよい。
【００６６】
また、前記排気装置５の種類は特に記載していないが、望ましくはブロア方式であるがプロペラ方式でもよい。
【００６７】
また、前記処理装置７の処理方法は特に記載していないが、直接燃焼，触媒燃焼等による分解、あるいは、活性炭や吸収液等による回収、目的にあう方式ならなんでもよい。
【００６８】
また、前記揮発性有機化合物ガス３を前記有機溶剤槽２に貯蔵されている前記有機溶剤１からと記載したが、塗装による飛散状でもよく、前記揮発性有機化合物ガス３が発生しそれを捕集、処理する方法ならなんにでも適応できる。
【００６９】
（実施の形態２）
図２に示すように、実施の形態２は実施の形態１とほぼ同等の構成を有し、実施の形態１と同一部分については同一番号を付し詳細な説明は省略する。揮発性有機化合物ガス３が旋回しながらダクト４へ吸引される方向が横方向に設けるように構成されている。
【００７０】
上記構成の洗浄工程の一例において、コンベア９にいくつか吊るされた洗浄の対象物である洗浄物１０が前記コンベア９により運ばれ有機溶剤１であるジクロロメタンが貯蔵されている有機溶剤槽２に浸漬して洗浄するという工程において、旋回気流発生手段８により前記有機溶剤槽２の上方の前記有機溶剤１表面および浸漬後の前記洗浄物１０から揮発する前記揮発性有機化合物ガス３は、まず前記有機溶剤槽２に対して垂直方向に全体的に旋回状になるので前記有機溶剤槽２および前記洗浄物１０から揮発する前記揮発性有機化合物ガス３を全て網羅し、次に吸引気流により螺旋状に前記ダクト４の中心に向かって吸引され、排気装置５に吸引・通過しダクト６を通過して前記処理装置７に入り前記揮発性有機化合物ガス３が無害化されるので、前記揮発性有機化合物ガス３のみを前記排気装置５で吸引、無害化する前記処理装置７へ送ることができる。
【００７１】
なお、前記有機溶剤１は一例として塩素系有機溶剤のジクロロメタンを記載したが、前記揮発性有機化合物ガス３を発生する有機溶剤ならなんでもよい。
【００７２】
また、前記有機溶剤槽２の材質や形状は特に記載していないが、前記有機溶剤１に耐性があり、目的の洗浄工程に不具合を生じない形状ならなんでもよい。
【００７３】
また、前記ダクト４および６の材質や形状は特に記載していないが、前記揮発性有機化合物ガス３に耐性があり、径が丸でも角でもどんな形状でもよい。
【００７４】
また、前記排気装置５の種類は特に記載していないが、望ましくはブロア方式であるがプロペラ方式でもよい。
【００７５】
また、前記処理装置７の処理方法は特に記載していないが、直接燃焼，触媒燃焼等による分解、あるいは、活性炭や吸収液等による回収、目的にあう方式ならなんでもよい。
【００７６】
また、前記揮発性有機化合物ガス３を前記有機溶剤槽２に貯蔵されている前記有機溶剤１からと記載したが、塗装による飛散状でもよく、前記揮発性有機化合物ガス３が発生しそれを捕集、処理する方法ならなんにでも適応できる。
【００７７】
また、前記揮発性有機化合物ガス３が旋回しながらダクト４へ吸引される方向が横方向になるように設けると記載したが、横方向ならどんな角度でもよい。
【００７８】
（実施の形態３）
図３に示すように、実施の形態３は実施の形態１または２とほぼ同等の構成を有し、実施の形態１または２と同一部分については同一番号を付し詳細な説明は省略する。旋回気流発生手段８を備えたフード１１設けダクト４と接続するように構成されている。
【００７９】
上記構成の洗浄工程の一例において、前記旋回気流発生手段８が前記フード１１に設けていることにより、吸引される前記揮発性有機化合物ガス３の螺旋範囲がより広く前記揮発性有機化合物ガス３のみを前記排気装置５で吸引することができる。
【００８０】
なお、前記ダクト４の材質や形状は特に記載していないが、前記揮発性有機化合物ガス３に耐性があり、径が丸でも角でもどんな形状でもよい。
【００８１】
また、前記排気装置５の種類は特に記載していないが、望ましくはブロア方式であるがプロペラ方式でもよい。
【００８２】
また、旋回気流発生手段８を備えたフード１１設けダクト４と接続すると記載したが、前記フード１１と前記ダクト４を一体成型してもよい。
【００８３】
また、前記フード１１の材質や形状は特に記載していないが、前記揮発性有機化合物ガス３に耐性があり、前記揮発性有機化合物ガス３が捕集しやすい形状ならどんな形状でもよい。
【００８４】
（実施の形態４）
図４に示すように、実施の形態４は実施の形態１，２または３とほぼ同等の構成を有し、実施の形態１，２または３と同一部分については同一番号を付し詳細な説明は省略する。
【００８５】
揮発性有機化合物ガス３が旋回しながらフード１１あるいはダクト４へ吸引されるように、有機溶剤槽２に旋回気流発生手段８を設けるように構成されている。
【００８６】
上記構成の洗浄工程の一例において、前記旋回気流発生手段８が前記有機溶剤槽２に備えることにより、前記フード１１あるいは前記ダクト４に機能を備えることなく前記有機溶剤槽２のみで前記揮発性有機化合物ガス３に旋回気流を与えることができ、既存の排気装置があれば簡単に設置でき、前記揮発性有機化合物ガス３のみを前記排気装置５で吸引することができる。
【００８７】
なお、前記有機溶剤槽２の材質や形状は特に記載していないが、前記有機溶剤１に耐性があり、目的の洗浄工程に不具合を生じない形状ならなんでもよい。
【００８８】
また、前記ダクト４の材質や形状は特に記載していないが、前記揮発性有機化合物ガス３に耐性があり、径が丸でも角でもどんな形状でもよい。
【００８９】
また、前記排気装置５の種類は特に記載していないが、望ましくはブロア方式であるがプロペラ方式でもよい。
【００９０】
また、前記フード１１の材質や形状は特に記載していないが、前記揮発性有機化合物ガス３に耐性があり、前記揮発性有機化合物ガス３が捕集しやすい形状ならどんな形状でもよい。
【００９１】
（実施の形態５）
図５に示すように、実施の形態５は実施の形態１，２，３または４とほぼ同等の構成を有し、実施の形態１，２，３または４と同一部分については同一番号を付し詳細な説明は省略する。旋回気流発生手段８に吸気される空気を、排気装置５の入口あるいは出口から吸気１２するように構成されている。
【００９２】
上記構成の洗浄工程の一例において、前記旋回気流発生手段８の吸気が前記揮発性有機化合物ガス３によるものから、より濃い状態での前記揮発性有機化合物ガス３を前記処理装置７へ送ることができ、前記揮発性有機化合物ガス３のみを前記排気装置５で吸引することができる。
【００９３】
また、前記排気装置５の種類は特に記載していないが、望ましくはブロア方式であるが、プロペラ方式でもよい。
【００９４】
また、前記処理装置７の処理方法は特に記載していないが、直接燃焼，触媒燃焼等による分解、あるいは、活性炭や吸収液等による回収、目的にあう方式ならなんでもよい。
【００９５】
また、前記フード１１の材質や形状は特に記載していないが、前記揮発性有機化合物ガス３に耐性があり、前記揮発性有機化合物ガス３が捕集しやすい形状ならどんな形状でもよい。
【００９６】
また、前記吸気１２の材質や形状は特に記載していないが、前記揮発性有機化合物ガス３に耐性があり、径が丸でも角でもどんな形状でもよい。
【００９７】
また、前記吸気１２の動力は記載していないが、静圧でも動力発生装置を備えてもどちらでもよい。
【００９８】
（実施の形態６）
図６に示すように、有機溶剤１が使用される有機溶剤槽２から発生する揮発性有機化合物ガス３を、前記有機溶剤槽２の上方に捕集手段１３を備えた排気装置５で吸引し、前記排気装置５から排気された前記揮発性有機化合物ガス３をダクト６に通じて前記揮発性有機化合物ガス３処理する処理装置７で処理する装置において、前記揮発性有機化合物ガス３がまわりに拡散しないようにエアーカーテン１４を設けて遮断するように構成されている。前記エアーカーテン１４の発生装置の設置箇所に関しては、実施の形態７，８および９で詳細を説明するが、ここでは前記揮発性有機化合物ガス３がまわりに拡散しないように前記エアーカーテン１４を設けて遮断するように構成されている。
【００９９】
上記構成の洗浄工程の一例において、コンベア９にいくつか吊るされた洗浄の対象物である洗浄物１０が前記コンベア９により運ばれ有機溶剤１であるジクロロメタンが貯蔵されている有機溶剤槽２に浸漬して洗浄するという工程において、前記エアーカーテン１４により前記有機溶剤槽２の上方の前記有機溶剤１表面および浸漬後の前記洗浄物１０から揮発する前記揮発性有機化合物ガス３は回りに飛散することなく前記捕集手段１３に向かって吸引され、前記排気装置５に吸引・通過し前記ダクト６を通過して前記処理装置７に入り前記揮発性有機化合物ガス３が無害化されるので、前記揮発性有機化合物ガス３のみを前記排気装置５で吸引、無害化する前記処理装置７へ送ることができる。
【０１００】
なお、前記有機溶剤１は一例として塩素系有機溶剤のジクロロメタンを記載したが、前記揮発性有機化合物ガス３を発生する有機溶剤ならなんでもよい。
【０１０１】
また、前記有機溶剤槽２の材質や形状は特に記載していないが、前記有機溶剤１に耐性があり、目的の洗浄工程に不具合を生じない形状ならなんでもよい。
【０１０２】
また、前記排気装置５の種類は特に記載していないが、望ましくはブロア方式であるがプロペラ方式でもよい。
【０１０３】
また、前記ダクト６の材質や形状は特に記載していないが、前記揮発性有機化合物ガス３に耐性があり、径が丸でも角でもどんな形状でもよい。
【０１０４】
また、前記処理装置７の処理方法は特に記載していないが、直接燃焼，触媒燃焼等による分解、あるいは、活性炭や吸収液等による回収、目的にあう方式ならなんでもよい。
【０１０５】
また、前記捕集手段１３の材質や形状は特に記載していないが、前記揮発性有機化合物ガス３に耐性があり、ダクト状でもフード状でもどんな形状でもよい。
【０１０６】
また、前記揮発性有機化合物ガス３を前記有機溶剤槽２に貯蔵されている前記有機溶剤１からと記載したが、塗装による飛散状でもよく、前記揮発性有機化合物ガス３が発生しそれを捕集、処理する方法ならなんでも適応できる。
【０１０７】
（実施の形態７）
図７に示すように、実施の形態７は実施の形態６とほぼ同等の構成を有し、実施の形態６と同一部分については同一番号を付し詳細な説明は省略する。捕集手段１３にエアーカーテン発生装置１５を設けるように構成されている。
【０１０８】
上記構成の洗浄工程の一例において、前記捕集手段１３に備わっている前記エアーカーテン発生装置１５から有機溶剤槽２周囲に向かって常に空気吹き出していることから、前記有機溶剤槽２の上方の有機溶剤１表面および浸漬後の前記洗浄物１０から揮発する前記揮発性有機化合物ガス３は回りに飛散することなく前記捕集手段１３に向かって吸引され、前記排気装置５に吸引・通過し前記ダクト６を通過して前記処理装置７に入り前記揮発性有機化合物ガス３が無害化されるので、前記揮発性有機化合物ガス３のみを前記排気装置５で吸引、無害化する前記処理装置７へ送ることができる。また、前記エアーカーテン発生装置１５が前記捕集手段１３に備わっているので、前記有機溶剤槽２のみ変更しても対応できる。
【０１０９】
なお、前記有機溶剤１は一例として塩素系有機溶剤のジクロロメタンを記載したが、前記揮発性有機化合物ガス３を発生する有機溶剤ならなんでもよい。
【０１１０】
また、前記有機溶剤槽２の材質や形状は特に記載していないが、前記有機溶剤１に耐性があり、目的の洗浄工程に不具合を生じない形状ならなんでもよい。
【０１１１】
また、前記排気装置５の種類は特に記載していないが、望ましくはブロア方式であるがプロペラ方式でもよい。
【０１１２】
また、前記ダクト６の材質や形状は特に記載していないが、前記揮発性有機化合物ガス３に耐性があり、径が丸でも角でもどんな形状でもよい。
【０１１３】
また、前記処理装置７の処理方法は特に記載していないが、直接燃焼，触媒燃焼等による分解、あるいは、活性炭や吸収液等による回収、目的にあう方式ならなんでもよい。
【０１１４】
また、前記捕集手段１３の材質や形状は特に記載していないが、前記揮発性有機化合物ガス３に耐性があり、ダクト状でもフード状でもどんな形状でもよい。
【０１１５】
また、前記エアーカーテン発生装置１５は空気を吹き出している構成としたが、空気を吸入するという構成でもよい。
【０１１６】
（実施の形態８）
図８に示すように、実施の形態８は実施の形態６とほぼ同等の構成を有し、実施の形態６と同一部分については同一番号を付し詳細な説明は省略する。有機溶剤槽２にエアーカーテン発生装置１５を設けるように構成されている。
【０１１７】
上記構成の洗浄工程の一例において、前記有機溶剤槽２に備わっているエアーカーテン発生装置１５から捕集手段１３に向かって常に空気吹き出していることから、前記有機溶剤槽２の上方の前記有機溶剤１表面および浸漬後の前記洗浄物１０から揮発する前記揮発性有機化合物ガス３は回りに飛散することなく前記捕集手段１３に向かって吸引され、前記排気装置５に吸引・通過し前記ダクト６を通過して前記処理装置７に入り前記揮発性有機化合物ガス３が無害化されるので、前記揮発性有機化合物ガス３のみを前記排気装置５で吸引、無害化する前記処理装置７へ送ることができる。また、前記エアーカーテン発生装置１５が前記有機溶剤槽２に備わっているので、前記捕集手段１３が備わっているところなら対応できる。
【０１１８】
なお、前記有機溶剤１は一例として塩素系有機溶剤のジクロロメタンを記載したが、前記揮発性有機化合物ガス３を発生する有機溶剤ならなんでもよい。
【０１１９】
また、前記有機溶剤槽２の材質や形状は特に記載していないが、前記有機溶剤１に耐性があり、目的の洗浄工程に不具合を生じない形状ならなんでもよい。
【０１２０】
また、前記排気装置５の種類は特に記載していないが、望ましくはブロア方式であるがプロペラ方式でもよい。
【０１２１】
また、前記ダクト６の材質や形状は特に記載していないが、前記揮発性有機化合物ガス３に耐性があり、径が丸でも角でもどんな形状でもよい。
【０１２２】
また、前記処理装置７の処理方法は特に記載していないが、直接燃焼，触媒燃焼等による分解、あるいは、活性炭や吸収液等による回収、目的にあう方式ならなんでもよい。
【０１２３】
また、前記捕集手段１３の材質や形状は特に記載していないが、前記揮発性有機化合物ガス３に耐性があり、ダクト状でもフード状でもどんな形状でもよい。
【０１２４】
また、前記エアーカーテン発生装置１５は空気を吹き出している構成としたが、空気を吸入するという構成でもよい。
【０１２５】
（実施の形態９）
図９に示すように、実施の形態９は実施の形態７および８とほぼ同等の構成を有し、実施の形態７および８と同一部分については同一番号を付し詳細な説明は省略する。エアーカーテン発生装置１５が、捕集手段１３および有機溶剤槽２の両方に設けるように構成されている。
【０１２６】
上記構成の洗浄工程の一例において、前記捕集手段１３および前記有機溶剤槽２に備わっているエアーカーテン発生装置１５から前記有機溶剤槽２および前記捕集手段１３に向かって常に空気吹き出していることから、前記有機溶剤槽２の上方の前記有機溶剤１表面および浸漬後の前記洗浄物１０から揮発する前記揮発性有機化合物ガス３は回りに飛散することなく前記捕集手段１３に向かって吸引され、前記排気装置５に吸引・通過し前記ダクト６を通過して前記処理装置７に入り前記揮発性有機化合物ガス３が無害化されるので、前記揮発性有機化合物ガス３のみを前記排気装置５で吸引、無害化する前記処理装置７へ送ることができる。また、前記エアーカーテン発生装置１５が前記捕集手段１３および前記有機溶剤槽２に備わっているので、相互作用で２重の遮断効果が生まれると同時にどちらか一方が故障しても遮断効果の著しい低下はない。
【０１２７】
なお、前記有機溶剤１は一例として塩素系有機溶剤のジクロロメタンを記載したが、前記揮発性有機化合物ガス３を発生する有機溶剤ならなんでもよい。
【０１２８】
また、前記有機溶剤槽２の材質や形状は特に記載していないが、前記有機溶剤１に耐性があり、目的の洗浄工程に不具合を生じない形状ならなんでもよい。
【０１２９】
また、前記排気装置５の種類は特に記載していないが、望ましくはブロア方式であるがプロペラ方式でもよい。
【０１３０】
また、前記ダクト６の材質や形状は特に記載していないが、前記揮発性有機化合物ガス３に耐性があり、径が丸でも角でもどんな形状でもよい。
【０１３１】
また、前記処理装置７の処理方法は特に記載していないが、直接燃焼，触媒燃焼等による分解、あるいは、活性炭や吸収液等による回収、目的にあう方式ならなんでもよい。
【０１３２】
また、前記捕集手段１３の材質や形状は特に記載していないが、前記揮発性有機化合物ガス３に耐性があり、ダクト状でもフード状でもどんな形状でもよい。
【０１３３】
また、前記エアーカーテン発生装置１５は空気を吹き出している構成としたが、空気を吸入するという構成でもよい。
【０１３４】
（実施の形態１０）
図１０に示すように、実施の形態１０は実施の形態６，７，８および９とほぼ同等の構成を有し、実施の形態６，７，８および９と同一部分については同一番号を付し詳細な説明は省略する。揮発性有機化合物ガス３が旋回しながら捕集手段１３へ吸引されるように構成されている。
【０１３５】
上記構成の洗浄工程の一例において、前記有機溶剤槽２の上方の前記有機溶剤１表面および浸漬後の前記洗浄物１０から揮発する前記揮発性有機化合物ガス３は前記エアーカーテン１４により回りに飛散することなく、また、前記揮発性有機化合物ガス３は全体的に旋回状になり前記有機溶剤槽２および前記洗浄物１０から揮発する前記揮発性有機化合物ガス３を全て網羅し、次に上昇気流により螺旋状に前記捕集手段１３の中心に向かって吸引され、前記排気装置５に吸引・通過し前記ダクト６を通過して前記処理装置７に入り前記揮発性有機化合物ガス３が無害化されるので、前記揮発性有機化合物ガス３のみを前記排気装置５で吸引、無害化する前記処理装置７へ送ることができる。
【０１３６】
なお、前記有機溶剤１は一例として塩素系有機溶剤のジクロロメタンを記載したが、前記揮発性有機化合物ガス３を発生する有機溶剤ならなんでもよい。
【０１３７】
また、前記有機溶剤槽２の材質や形状は特に記載していないが、前記有機溶剤１に耐性があり、目的の洗浄工程に不具合を生じない形状ならなんでもよい。
【０１３８】
また、前記排気装置５の種類は特に記載していないが、望ましくはブロア方式であるがプロペラ方式でもよい。
【０１３９】
また、前記ダクト６の材質や形状は特に記載していないが、前記揮発性有機化合物ガス３に耐性があり、径が丸でも角でもどんな形状でもよい。
【０１４０】
また、前記処理装置７の処理方法は特に記載していないが、直接燃焼，触媒燃焼等による分解、あるいは、活性炭や吸収液等による回収、目的にあう方式ならなんでもよい。
【０１４１】
また、前記捕集手段１３の材質や形状は特に記載していないが、前記揮発性有機化合物ガス３に耐性があり、ダクト状でもフード状でもどんな形状でもよい。
【０１４２】
（実施の形態１１）
図１１および図１２に示すように、実施の形態１１は実施の形態２，３，４および５とほぼ同等の構成を有し、実施の形態２，３，４および５と同一部分については同一番号を付し詳細な説明は省略する。有機溶剤槽２の上面と排気装置５の入口に揮発性有機化合物ガス３の濃度を測定するセンサ１６を設け、前記センサ１６から濃度の結果を判定手段１７に送り、前記判定手段１７による判定結果に基づき制御手段１８を通して前記揮発性有機化合物ガス３が旋回しながら吸引される方向の角度１９を調整するように構成されている。
【０１４３】
上記構成の洗浄工程の一例において、前記有機溶剤槽２の上面と前記排気装置５の入口に前記揮発性有機化合物ガス３の濃度を前記センサ１６で常に測定し、その結果を前記判定手段１７へ送り判定する。判定する内容は、前記揮発性有機化合物３の濃度が前記有機溶剤槽２の上面に対して前記排気装置５の入口が高いあるいは同等か低いかということである。一番目として高いあるいは同等の場合は、前記制御手段１８を働かせない。二番目として低い場合は、前記制御手段１８によりダクト４の角度を変更させ、再度前記センサ１６で前記揮発性有機化合物ガス３を測定し、前記判定手段１７で判定して高いあるいは同等ならその角度で固定する。もし低ければ、高くあるいは同等になるまで上記工程を繰り返す。これにより、前記揮発性有機化合物ガス３の状態に合わせて装置を自動的に運転させることができる。
【０１４４】
なお、前記有機溶剤槽２の材質や形状は特に記載していないが、前記有機溶剤１に耐性があり、目的の洗浄工程に不具合を生じない形状ならなんでもよい。
【０１４５】
また、前記ダクト４の材質や形状は特に記載していないが、前記揮発性有機化合物ガス３に耐性があり、径が丸でも角でもどんな形状でもよい。
【０１４６】
また、前記排気装置５の種類は特に記載していないが、望ましくはブロア方式であるがプロペラ方式でもよい。
【０１４７】
また、前記排気装置５の入口に揮発性有機化合物ガス３の濃度を測定するセンサ１６を設けると記載したが、前記センサ１６は前記排気装置の出口でもよい。
【０１４８】
また、前記揮発性有機化合物ガス３の濃度を測定する前記センサ１６と記載したが、前記揮発性有機化合物ガス３を検知できる方式ならどんな方式でもよい。
【０１４９】
また、前記判定手段１７および前記制御手段１８は、マイコン化して完全に自動化してもよい。
【０１５０】
（実施の形態１２）
図１３および図１４に示すように、実施の形態１２は実施の形態１，２，３，４，５および１０とほぼ同等の構成を有し、実施の形態１，２，３，４，５および１０と同一部分については同一番号を付し詳細な説明は省略する。有機溶剤槽２の上面と排気装置５の入口に揮発性有機化合物ガス３の濃度を測定するセンサ１６を設け、前記センサ１６から濃度の結果を判定手段１７に送り、前記判定手段１７による判定結果に基づき制御手段２０を通して旋回気流発生手段８の旋回気流の強さを調整するように構成されている。
【０１５１】
上記構成の洗浄工程の一例において、前記有機溶剤槽２の上面と前記排気装置５の入口に前記揮発性有機化合物ガス３の濃度を前記センサ１６で常に測定し、その結果を前記判定手段１７へ送り判定する。判定する内容は、前記揮発性有機化合物３の濃度が前記有機溶剤槽２の上面に対して前記排気装置５の入口が高いあるいは同等か低いかということである。一番目として高いあるいは同等の場合は、前記制御手段２０を働かせない。二番目として低い場合は、前記制御手段２０により前記旋回気流発生手段８の旋回気流を強くし、再度前記センサ１６で前記揮発性有機化合物ガス３を測定し、前記判定手段１７で判定して高いあるいは同等ならその強さで固定する。もし低ければ、高くあるいは同等になるまで上記工程を繰り返す。これにより、前記揮発性有機化合物ガス３の状態に合わせて装置を自動的に運転させることができる。
【０１５２】
なお、前記有機溶剤層２の材質や形状は特に記載していないが、前記有機溶剤１に耐性があり、目的の洗浄工程に不具合を生じない形状ならなんでもよい。
【０１５３】
また、前記排気装置５の種類は特に記載していないが、望ましくはブロア方式であるが、プロペラ方式でもよい。
【０１５４】
また、前記揮発性有機化合物ガス３の濃度を測定する前記センサ１６と記載したが、前記揮発性有機化合物ガス３を検知できる方式ならどんな方式でもよい。
【０１５５】
また、前記判定手段１７および前記制御手段２０は、マイコン化して完全に自動化してもよい。
【０１５６】
（実施の形態１３）
図１５および図１６に示すように、実施の形態１３は実施の形態７，８，９および１０とほぼ同等の構成を有し、実施の形態７，８，９および１０と同一部分については同一番号を付し詳細な説明は省略する。捕集手段１３および有機溶剤槽２に風量を測定するセンサ２１を設け、前記センサ２１から風量の結果を判定手段２２に送り、前記判定手段２２による判定結果に基づき制御手段２３を通してエアーカーテン発生装置１５の風量を制御するように構成されている。
【０１５７】
上記構成の洗浄工程の一例において、前記捕集手段１３および前記有機溶剤槽２に前記エアーカーテン発生装置１５の風量を前記センサ２１で常に測定し、その結果を前記判定手段２２へ送り判定する。判定する内容は、前記エアーカーテン発生装置１５の風量がある一定の風量に対して同等か少ないかということである。一番目として同等の場合は、前記制御手段２３を働かせない。二番目として少ない場合は、前記制御手段２３により前記エアーカーテン発生装置１５の吐き出し風量を強くし、再度前記センサ２１で前記エアーカーテン発生装置１５の吐き出し風量を測定し、前記判定手段２２で判定して同等ならその風量で固定する。もし少なければ、同等になるまで上記工程を繰り返す。これにより、前記揮発性有機化合物ガス３の状態に合わせて装置を自動的に運転させることができる。
【０１５８】
なお、前記有機溶剤槽２の材質や形状は特に記載していないが、前記有機溶剤１に耐性があり、目的の洗浄工程に不具合を生じない形状ならなんでもよい。
【０１５９】
また、前記捕集手段１３の材質や形状は特に記載していないが、前記揮発性有機化合物ガス３に耐性があり、ダクト状でもフード状でもどんな形状でもよい。
【０１６０】
また、前記エアーカーテン発生装置１５の風量を測定する前記センサ２１と記載したが、前記エアーカーテン発生装置１５の風量を検知できる方式ならどんな方式でもよい。
【０１６１】
また、前記判定手段２２および前記制御手段２３は、マイコン化して完全に自動化してもよい。
【０１６２】
（実施の形態１４）
図１７および図１８に示すように、実施の形態１４は実施の形態１，２，３，４，５，１０，１１および１２とほぼ同等の構成を有し、実施の形態１，２，３，４，５，１０，１１および１２と同一部分については同一番号を付し詳細な説明は省略する。有機溶剤槽２の上面と排気装置５の入口に揮発性有機化合物ガス３の濃度を測定するセンサ１６を設け、前記センサから濃度の結果を判定手段１７に送り、前記判定手段１７による判定結果に基づき制御手段２４を通して前記揮発性有機化合物ガス３が旋回しながら吸引される方向の角度１９を調整し旋回気流発生手段８の旋回気流の強さをも調整するように構成されている。
【０１６３】
上記構成の洗浄工程の一例において、前記有機溶剤槽２の上面と前記排気装置５の入口に前記揮発性有機化合物ガス３の濃度を前記センサ１６で常に測定し、その結果を前記判定手段１７へ送り判定する。判定する内容は、前記揮発性有機化合物３の濃度が前記有機溶剤槽２の上面に対して前記排気装置５の入口が高いあるいは同等か低いかということである。一番目として高いあるいは同等の場合は、前記制御手段２４を働かせない。二番目として低い場合は、前記制御手段２４によりダクト４の角度１９を変更および前記旋回気流発生手段８の旋回気流を強くし、再度前記センサ１６で前記揮発性有機化合物ガス３を測定し、前記判定手段１７で判定して高いあるいは同等ならその角度１９および強さで固定する。もし低ければ、高くあるいは同等になるまで上記工程を繰り返す。これにより、前記揮発性有機化合物ガス３の状態に合わせて装置を自動的に運転させることができる。
【０１６４】
なお、前記有機溶剤槽２の材質や形状は特に記載していないが、前記有機溶剤１に耐性があり、目的の洗浄工程に不具合を生じない形状ならなんでもよい。
【０１６５】
また、前記ダクト４の材質や形状は特に記載していないが、前記揮発性有機化合物ガス３に耐性があり、径が丸でも角でもどんな形状でもよい。
【０１６６】
また、前記排気装置５の種類は特に記載していないが、望ましくはブロア方式であるがプロペラ方式でもよい。
【０１６７】
また、前記排気装置５の入口に揮発性有機化合物ガス３の濃度を測定するセンサ１６を設けると記載したが、前記センサ１６は前記排気装置の出口でもよい。
【０１６８】
また、前記揮発性有機化合物ガス３の濃度を測定する前記センサ１６と記載したが、前記揮発性有機化合物ガス３を検知できる方式ならどんな方式でもよい。
【０１６９】
また、前記判定手段１７および前記制御手段２４は、マイコン化して完全に自動化してもよい。
【０１７０】
（実施の形態１５）
図１９および図２０に示すように、実施の形態１５は実施の形態１，２，３，４，５，７，８，９および１０とほぼ同等の構成を有し、実施の形態１，２，３，４，５，７，８，９および１０と同一部分については同一番号を付し詳細な説明は省略する。有機溶剤槽２の上面と排気装置５の入口に揮発性有機化合物ガス３の濃度を測定するセンサ１６および捕集手段１３および有機溶剤槽に風量を測定するセンサ２１を設け、前記センサ１６および前記センサ２１から濃度および風量の結果を判定手段２５に送り、前記判定手段２５による判定結果に基づき制御手段２６を通して旋回気流発生手段８の旋回気流の強さを調整しエアーカーテン発生装置１５の風量をも制御するように構成されている。
【０１７１】
上記構成の洗浄工程の一例において、前記有機溶剤槽２の上面と前記排気装置５の入口に前記揮発性有機化合物ガス３の濃度を前記センサ１６および前記捕集手段１３および前記有機溶剤槽２に前記エアーカーテン発生装置１５の風量を前記センサ２１で常に測定し、その結果を前記判定手段２５へ送り判定する。判定する内容は、前記揮発性有機化合物３の濃度が前記有機溶剤槽２の上面に対して前記排気装置５の入口が高いあるいは同等か低いか、および、前記エアーカーテン発生装置１５の風量がある一定の風量に対して同等か少ないかということである。一番目として濃度が高いあるいは同等および風量が同等の場合は、前記制御手段２６を働かせない。二番目として濃度が低いおよび風量が少ない場合は、前記制御手段２６により前記旋回気流発生手段８の旋回気流を強くおよび前記エアーカーテン発生装置１５の吐き出し風量を強くし、再度前記センサ１６および２１で前記揮発性有機化合物ガス３および前記エアーカーテン発生装置１５の吐き出し風量を測定し、前記判定手段２５で判定して濃度が高いあるいは風量が同等および同等ならその旋回気流の強さおよび風量で固定する。もし濃度が低いおよび風量が少なければ、濃度が高くあるいは同等および風量が同等になるまで上記工程を繰り返す。これにより、前記揮発性有機化合物ガス３の状態に合わせて装置を自動的に運転させることができる。
【０１７２】
なお、前記有機溶剤層２の材質や形状は特に記載していないが、前記有機溶剤１に耐性があり、目的の洗浄工程に不具合を生じない形状ならなんでもよい。
【０１７３】
また、前記排気装置５の種類は特に記載していないが、望ましくはブロア方式であるが、プロペラ方式でもよい。
【０１７４】
また、前記捕集手段１３の材質や形状は特に記載していないが、前記揮発性有機化合物ガス３に耐性があり、ダクト状でもフード状でもどんな形状でもよい。
【０１７５】
また、前記揮発性有機化合物ガス３の濃度を測定する前記センサ１６および前記エアーカーテン発生装置１５の風量を測定する前記センサ２１と記載したが、前記揮発性有機化合物ガス３を検知できる方式および前記エアーカーテン発生装置１５の風量を検知できる方式ならどんな方式でもよい。
【０１７６】
また、前記判定手段２５および前記制御手段２６は、マイコン化して完全に自動化してもよい。
【０１７７】
（実施の形態１６）
図２１および図２２に示すように、実施の形態１６は実施の形態１，２，３，４，５，７，８，９，１０，１１および１２とほぼ同等の構成を有し、実施の形態１，２，３，４，５，７，８，９，１０，１１および１２と同一部分については同一番号を付し詳細な説明は省略する。有機溶剤槽２の上面と排気装置５の入口に揮発性有機化合物ガス３の濃度を測定するセンサ１６および捕集手段１３および有機溶剤槽２に風量を測定するセンサ２１を設け、前記センサ１６および前記センサ２１から濃度および風量の結果を判定手段２５に送り、前記判定手段２７による判定結果に基づき制御手段２８を通して前記揮発性有機化合物ガス３が旋回しながら吸引される方向の角度１９を調整し旋回気流発生手段８の旋回気流の強さをも調整しエアーカーテン発生装置１５の風量をも制御するように構成されている。
【０１７８】
上記構成の洗浄工程の一例において、前記有機溶剤槽２の上面と前記排気装置５の入口に前記揮発性有機化合物ガス３の濃度を前記センサ１６および前記捕集手段１３および前記有機溶剤槽２に前記エアーカーテン発生装置１５の風量を前記センサ２１で常に測定し、その結果を前記判定手段２７へ送り判定する。判定する内容は、前記揮発性有機化合物３の濃度が前記有機溶剤槽２の上面に対して前記排気装置５の入口が高いあるいは同等か低いか、および、前記エアーカーテン発生装置１５の風量がある一定の風量に対して同等か少ないかということである。一番目として濃度が高いあるいは同等および風量が同等の場合は、前記判定手段２７を働かせない。二番目として濃度が低いおよび風量が少ない場合は、前記制御手段２８により前記ダクト４の角度１９を変更および前記旋回気流発生手段８の旋回気流を強くし前記エアーカーテン発生装置１５の吐き出し風量を強くして、再度前記センサ１６および２１で前記揮発性有機化合物ガス３および前記エアーカーテン発生装置１５の吐き出し風量を測定し、前記判定手段２７で判定して濃度が高いあるいは同等および風量が同等ならその角度１９および旋回気流の強さおよび風量で固定する。もし濃度が低いおよび風量が少なければ、濃度が高くあるいは風量が同等になるまで上記工程を繰り返す。これにより、前記揮発性有機化合物ガス３の状態に合わせて装置を自動的に運転させることができる。
【０１７９】
なお、前記有機溶剤槽２の材質や形状は特に記載していないが、前記有機溶剤１に耐性があり、目的の洗浄工程に不具合を生じない形状ならなんでもよい。
【０１８０】
また、前記ダクト４の材質や形状は特に記載していないが、前記揮発性有機化合物ガス３に耐性があり、径が丸でも角でもどんな形状でもよい。
【０１８１】
また、前記排気装置５の種類は特に記載していないが、望ましくはブロア方式であるがプロペラ方式でもよい。
【０１８２】
また、前記排気装置５の入口に揮発性有機化合物ガス３の濃度を測定するセンサ１６を設けると記載したが、前記センサ１６は前記排気装置の出口でもよい。
【０１８３】
また、前記捕集手段１３の材質や形状は特に記載していないが、前記揮発性有機化合物ガス３に耐性があり、ダクト状でもフード状でもどんな形状でもよい。
【０１８４】
また、前記揮発性有機化合物ガス３の濃度を測定する前記センサ１６および前記エアーカーテン発生装置１５の風量を測定する前記センサ２１と記載したが、前記揮発性有機化合物ガス３を検知できる方式および前記エアーカーテン発生装置１５の風量を検知できる方式ならどんな方式でもよい。
【０１８５】
また、前記判定手段２７および前記制御手段２８は、マイコン化して完全に自動化してもよい。
【産業上の利用可能性】
【０１８６】
本発明にかかる排気装置は、揮発性有機化合物ガスのみを排気装置で吸引することができ、また、揮発性有機化合物ガスの状態に合わせて装置を自動的に運転させることができることを有し、塗装工場などの洗浄槽から排出される揮発性有機化合物ガスを、捕集・処理し排気する排気装置として有用である。
【図面の簡単な説明】
【０１８７】
【図１】本発明の実施の形態１の排気装置の構成の断面図
【図２】本発明の実施の形態２の排気装置の構成の断面図
【図３】本発明の実施の形態３の排気装置の構成の断面図
【図４】本発明の実施の形態４の排気装置の構成の断面図
【図５】本発明の実施の形態５の排気装置の構成の断面図
【図６】本発明の実施の形態６の排気装置の構成の断面図
【図７】本発明の実施の形態７の排気装置の構成の断面図
【図８】本発明の実施の形態８の排気装置の構成の断面図
【図９】本発明の実施の形態９の排気装置の構成の断面図
【図１０】本発明の実施の形態１０の排気装置の構成の断面図
【図１１】本発明の実施の形態１１の排気装置の構成の断面図
【図１２】同排気装置の判定方法のフローチャート
【図１３】本発明の実施の形態１２の排気装置の構成の断面図
【図１４】同排気装置の判定方法のフローチャート
【図１５】本発明の実施の形態１３の排気装置の構成の断面図
【図１６】同排気装置の判定方法のフローチャート
【図１７】本発明の実施の形態１４の排気装置の構成の断面図
【図１８】同排気装置の判定方法のフローチャート
【図１９】本発明の実施の形態１５の排気装置の構成の断面図
【図２０】同排気装置の判定方法のフローチャート
【図２１】本発明の実施の形態１６の排気装置の構成の断面図
【図２２】同排気装置の判定方法のフローチャート
【図２３】従来の排気装置の構成の断面図
【符号の説明】
【０１８８】
１  有機溶剤
２  有機溶剤槽
３  揮発性有機化合物ガス
４  ダクト
５  排気装置
６  ダクト
７  処理装置
８  旋回気流発生手段
９  コンベア
１０  洗浄物
１１  フード
１２  吸気
１３  捕集手段
１４  エアーカーテン
１５  エアーカーテン発生装置
１６  センサ
１７  判定手段
１８  制御手段
１９  角度
２０  制御手段
２１  センサ
２２  判定手段
２３  制御手段
２４  制御手段
２５  判定手段
２６  制御手段
２７  判定手段
２８  制御手段
１０１  排ガス発生源
１０２  排ガス
１０３  送風機
１０４  吸入フード
１０５  前処理装置
１０６  処理装置
【図１】
2006239562.tif 000003
【図２】
2006239562.tif 000004
【図３】
2006239562.tif 000005
【図４】
2006239562.tif 000006
【図５】
2006239562.tif 000007
【図６】
2006239562.tif 000008
【図７】
2006239562.tif 000009
【図８】
2006239562.tif 000010
【図９】
2006239562.tif 000011
【図１０】
2006239562.tif 000012
【図１１】
2006239562.tif 000013
【図１２】
2006239562.tif 000014
【図１３】
2006239562.tif 000015
【図１４】
2006239562.tif 000016
【図１５】
2006239562.tif 000017
【図１６】
2006239562.tif 000018
【図１７】
2006239562.tif 000019
【図１８】
2006239562.tif 000020
【図１９】
2006239562.tif 000021
【図２０】
2006239562.tif 000022
【図２１】
2006239562.tif 000023
【図２２】
2006239562.tif 000024
【図２３】
2006239562.tif 000025